(57)【要約】      （修正有）【課題】タオルやレンズクリーナーなどのパイル製品において、動きのある図柄を表現できるパイル製品を提供する。【解決手段】パイル製品１は、パイル生地部２と、パイル生地部２に取り付けられた印刷シート３を有し、印刷シート３はパイル生地部２の変形に追随できるような柔軟性のシート基材と、シート基材上に設けられたレンチキュラー印刷面４を有し、パイル生地部２には転写印刷面が設けられていて、見る角度によって異なる図柄が観察されるレンチキュラー印刷面４とパイル生地部の転写印刷面によりこれまでのパイル製品にはない意匠性を得る。【選択図】図１
0003206869.tif 000002
【実用新案登録請求の範囲】
【請求項１】
パイル生地部と、パイル生地部に取り付けられた印刷シートを有し、印刷シートは、柔軟性のシート基材と、シート基材上に設けられたレンチキュラー印刷面を有し、パイル生地部には転写印刷面が設けられているパイル製品。
【請求項２】
前記パイル生地部は第１パイル糸がポリエステル長繊維糸であり第２パイル糸が綿糸である丸編み編成を有する両面パイル生地であり、
転写印刷面である第１面において第１パイル糸によるパイル面が形成されかつシャーリング処理が施されており、転写印刷面でない第２面に印刷シートが取り付けられている請求項１に記載のパイル製品。
【考案の詳細な説明】
【技術分野】
【０００１】
この考案は、精密な図柄が表現されたパイル製品に関する。
【背景技術】
【０００２】
パイル生地を基材とするパイル製品として、タオルやタオルケットなどのタオル製品があるほかに、メガネや携帯電話端末の表示画面を清掃するためのクリーナーなどがある。パイル生地としてはタオル織機で織られたパイル織物や、経編や丸編みなどで作られるパイル編物もある。
【０００３】
パイル製品に対して精密な転写印刷を施すことが、特許文献１や特許文献２などに記載されている。
【先行技術文献】
【特許文献】
【０００４】
【特許文献１】特開２００４−２６１３６５号公報
【特許文献２】実用新案登録第３２０５１３４号公報
【考案の概要】
【考案が解決しようとする課題】
【０００５】
特許文献１によれば、同文献のタオルおよびタオル生地では、表面の全面が肌ざわりの良いパイルであるにも拘わらず、昇華プリントを施すことができる、とされている。表側のパイル長を裏側のパイル長より短くしているので、その分、裏側よりも精密な印刷ができることは期待できる。特許文献２によれば、ポリエステル長繊維糸によるパイル面でかつシャーリング処理が施された転写印刷面を有するのでさらに精密な図柄を表現できる。
【０００６】
しかし、一つの印刷面には一つの図柄しか表現できず、動きのある図柄や変化する図柄あるいは立体感の強い図柄を表現できない。この考案は、変化がありより意匠性の高いパイル製品を提供することを目的とする。
【課題を解決するための手段】
【０００７】
上述の課題を解決するため、この考案のパイル製品は、パイル生地部と、パイル生地部に取り付けられた印刷シートを有し、印刷シートは、柔軟性のシート基材と、シート基材上に設けられたレンチキュラー印刷面を有し、パイル生地部には転写印刷面が設けられている。さらに、パイル生地部は第１パイル糸がポリエステル長繊維糸であり第２パイル糸が綿糸である丸編み編成を有する両面パイル生地であり、転写印刷面である第１面において第１パイル糸によるパイル面が形成されかつシャーリング処理が施されており、転写印刷面でない第２面に印刷シートが取り付けることもできる。
【考案の効果】
【０００８】
この考案のパイル製品はレンチキュラー印刷面を有する印刷シートが取り付けられており、これまでの布製品にはない高い意匠性を有する、
【図面の簡単な説明】
【０００９】
【図１】パイル製品を示す斜視図である。
【図２】印刷シートの印刷面を模式的に示す平面図である。
【図３】印刷シートの印刷面を模式的に示す断面図である。
【図４】転写印刷用縦編みパイル生地の編み構造を示す平面図である。
【図５】同底面図である。
【図６】転写印刷用縦編みパイル生地を模式的に示す断面図である。
【考案を実施するための形態】
【００１０】
この考案を実施するための形態について図面に基づいて説明する。図１はパイル製品を示す斜視図である。パイル製品１は、パイル生地部２を主要な構成とする布製品であり、たとえばタオル、バスタオル、タオルケットなどのほかレンズや携帯電話端末の表示画面のクリーナーなども含む。パイル生地部２はタオル織機で織られたパイル織物のほか後述のようなパイル編物でもよい。
【００１１】
パイル生地部２には柔軟性のある印刷シート３が取り付けられている。ここで柔軟性とは、パイル生地部２とともに曲がったり折り畳むことができる程度の変形可能性があればよく、強い力を加えない限りほとんど変形しないような固いプレート状のものは除かれる。印刷シート３の数や形状、あるいは取り付ける位置は適宜選択できる。また、取り付け方法としても、接着、縫製、あるいはその組み合わせでもよい。そして、この印刷シート３の表面にはレンチキュラー印刷面４が設けられている。
【００１２】
レンチキュラー印刷面について説明する。レンチキュラー印刷自体はすでに普及しているので、本願考案の理解に必要な説明を行う。図２は印刷シートの印刷面を模式的に示す平面図であり、図３は印刷シートの印刷面を模式的に示す断面図である。
【００１３】
本例では３種類の図柄に変化して見える印刷で説明する。印刷シート３の基材は柔軟な合成樹脂のシートであり、その表面に図２に示すような印刷が施されている。印刷帯ａ、印刷帯ｂ、印刷帯ｃの細長い印刷帯が順次繰り返すように配置されている。それぞれの印刷帯の集まりだけで独立した１つの図柄が表現される。そして、印刷帯ａ、印刷帯ｂ、印刷帯ｃのそれぞれによって表現されるのは異なる図柄である。
【００１４】
印刷の上にはレンチキュラーレンズと呼ばれる筋状の光学素子５が設けられている。光学素子の筋の方向は印刷帯の長さ方向に沿っている。筋に対して垂直な方向に沿って周期的な繰り返しになっており、印刷帯ａ、印刷帯ｂ、印刷帯ｃの１組の上に一周期分の光学素子５が配置される。この断面は曲線状のレンズでもよく、また、プリズム状でもよく、印刷帯ａ、印刷帯ｂ、印刷帯ｃからの光束をそれぞれ異なる方向に導くものであればよい。この光学素子６を通して観察することにより、例えばＡ方向から観察するときは印刷帯ａのみを見ることができ、Ｂ方向またはＣ方向からではそれぞれ印刷帯ｂまたは印刷帯ｃのみを見ることができる。したがって、印刷シート３を異なる角度から見ることによって、３種類の異なる図柄が観察される。
【００１５】
本例では３つの印刷帯に分割しているが、分割数を増やし、それに応じた光学素子５を設けることにより４以上の異なる柄も表現できる。
【００１６】
この考案のパイル製品は、レンチキュラー印刷を施された印刷シート３を備えることにより、角度によって図柄が変化するこれまでのパイル製品とは全く異なる新しい外観を有する。さらに、パイル生地部２にも転写印刷により精密な図柄を設けることにより、レンチキュラー印刷とパイル生地の転写印刷が組み合わさり、レンチキュラー印刷物だけでは得られない新しい表現が可能になる。
【００１７】
これまでのレンチキュラー印刷物のほとんどが固いシートになっており、装飾品以外の実用的な機能はほとんどなかった。本考案では柔軟性のある印刷シート３を使用することにより、基材であるパイル生地に追随して変形でき、自由に曲げたり折り畳むことができて、パイル製品としての機能が保持されている。
【００１８】
次に、パイル生地の例について説明する。図４は縦編みパイル生地の構造を示す平面図、図５は同背面である。本例のパイル生地ｘは、丸編み編成を有するパイル生地であり、機械編みで製造することができる。このような丸編み機械はすでに普及している。図４は転写印刷面である第１面６を、図５は第１面とは反対側の第２面７を示している。
【００１９】
第１パイル糸Ｌ１は転写印刷面である第１面６に現れるパイル糸である。この第１パイル糸Ｌ１はポリエステル長繊維糸である。仕上げ時において細かな繊維が多数あらわれるマイクロファイバーが好ましい。特に、割繊糸を使用することが好ましい。本例では、７５デニール／３６本の割繊糸を使用している。
【００２０】
第２パイル糸Ｌ２は第２面７に現れるパイル糸である。この第２パイル糸Ｌ２は綿糸である。特に、３２番手単糸の綿糸を使用することが好ましい。
【００２１】
また、本例ではパイル止め糸Ｌ３としてはフィラメントポリエステル４０デニール／３６を、下糸Ｌ４としてはフィラメントポリエステル７５デニール／３６を使用した。これらの糸を使用して丸編み機によって２８ゲージ（列）／インチの密度で丸編みを行った。
【００２２】
図６は転写印刷用縦編みパイル生地を模式的に示す断面図である。丸編みにより得られた生地では、第１面６にはポリエステルの第１パイル糸によるループ状のパイルが形成される。丸編みにすることにより、網目の密度が高い。この第１面６にシャーリンクを行い、転写印刷面を形成することにより転写印刷用丸編みパイル生地が得られる。この面はポリエステルの細かな繊維に覆われ、転写印刷に適している。編み構造であるため糸同士が強固につながれていて、シャーリングしても表面の糸は抜けにくい。さらに、ポリエステルの割繊糸を使用すると、第１面の表面が多数のマイクロファイバーで覆われ、精密な印刷ができるようになる。また、この面はパイル面であるので、柔らかく手触りがよい。
【００２３】
一方、第２面７もパイル面になっており、肌触りがよい。とくに綿糸であるため、通常のタオルと同じような肌触りのよさと吸水性を有する。さらに、編み構造であるために、生地全体が柔軟であり、伸縮性に富む。
【００２４】
この転写印刷用縦編みパイル生地の転写印刷面（第１面）に昇華転写（熱転写）により写真を印刷する。一方、第２面には印刷シート３を取り付ける。
【００２５】
本例のパイル生地を用いたパイル製品は、たとえば小型のハンカチタオルとすることができるが、第１面の表面が多数のマイクロファイバーで覆われているのでメガネ拭きや携帯電話の表示画面のクリーナーとしても適しており、さらにはクリーナー兼用のハンカチタオルとしても適している。
【符号の説明】
【００２６】
１．パイル製品
２．パイル生地
３．印刷シート
４．レンチキュラー印刷面
５．光学素子
６．第１面
７．第２面
Ｌ１．第１パイル糸
Ｌ２．第２パイル糸
Ｌ３．止め糸
Ｌ４．下糸
【図１】
0003206869.tif 000003
【図２】
0003206869.tif 000004
【図３】
0003206869.tif 000005
【図４】
0003206869.tif 000006
【図５】
0003206869.tif 000007
【図６】
0003206869.tif 000008